(57)【要約】      （修正有）【課題】  収納する際、棚を持ち上げる力を必要とせず、かつ、単純な動作で使用状態及び収納状態の切替えの可能な折畳み式収納棚の提供。【解決手段】  被取付け体に、回動軸を中心として、一方の端部が水平方向から下方向の間で回動自在に連結されるアーム２と、このアーム２の他方の端部に回動自在に連結され、アーム２に折り畳まれる水切用棚３とを有し、水切用棚３が折り畳まれかつアーム２が水平方向の状態のときに、被取付け体に収納される収納式水切棚１であって、アーム２が水平方向に回動するように付勢するアーム付勢手段と、下方向に回動されたアーム２を係止する係止手段と、この係止手段を解除する係止解除手段とを具備した構成としてある。【選択図】      図２
2005058471.tif 000002
【特許請求の範囲】
【請求項１】
被取付け体に、回動軸を中心として、一方の端部が水平方向から下方向の間で回動自在に連結されるアームと、このアームの他方の端部に回動自在に連結され、該アームに折り畳まれる棚とを有し、前記棚が折り畳まれかつ前記アームが水平方向の状態のときに、前記被取付け体に収納される折畳み式収納棚であって、
前記アームが水平方向に回動するように付勢するアーム付勢手段と、
下方向に回動された前記アームを係止する係止手段と、
この係止手段を解除する係止解除手段と
を具備したことを特徴とする折畳み式収納棚。
【請求項２】
前記係止手段が、
前記アームの回動軸方向に凸部を有し、さらに、ロックキー付勢手段により前記回動軸方向に付勢された状態で、該回動軸方向に移動自在に取り付けられたロックキーと、
前記アームが下方向に回動されたとき、前記ロックキーの凸部が係止される係止部の形成されたロックカムと
を備えたことを特徴とする請求項１記載の折畳み式収納棚。
【請求項３】
前記係止解除手段が、
前記棚の側面に突設されたピンと、
前記ロックキーに形成され、前記棚を前記アームに折り畳んだとき、前記ピンに押されて前記ロックキーを下方向に移動させる傾斜面と
を備えたことを特徴とする請求項２記載の折畳み式収納棚。
【請求項４】
前記アームに形成され、前記棚を折り畳んだとき、前記ピンが装入されるピン溝と、
前記ロックキーに形成され、前記傾斜面が押されて前記ロックキーが下方向に移動すると、装入された前記ピンが前記ピン溝から抜けないように、前記ピン溝の入口部を遮るストッパー部と
からなる棚係止手段を備えたことを特徴とする請求項３記載の折畳み式収納棚。
【請求項５】
前記棚の側面に突設されたピンと、
前記ロックキーに形成され、前記アームを下方向に回動させると、前記ピンを押して前記棚を背面側の方向に押し出す傾斜面と
からなる棚押出し手段を備えたことを特徴とする請求項２〜４のいずれかに記載の折畳み式収納棚。
【請求項６】
前記棚に、水平方向の状態にある前記アームを下方向に回動させるためのアーム用取っ手と、開かれた前記棚を折り畳むための棚用取っ手を設けたことを特徴とする請求項１〜５のいずれかに記載の折畳み式収納棚。
【請求項７】
前記アーム付勢手段が、前記アームに一端が移動及び回動自在に連結され、他端が回動自在に支持された作動リンクと、この作動リンクの前記一端を前記アームの回動軸方向に付勢するアーム作動ばねとからなることを特徴とする請求項１〜６のいずれかに記載の折畳み式収納棚。
【請求項８】
前記棚を水切用棚としたことを特徴とする請求項１〜７のいずれかに記載の折畳み式収納棚。
【請求項９】
前記被取付け体が吊戸棚であることを特徴とする請求項１〜８のいずれかに記載の折畳み式収納棚。
【発明の詳細な説明】
【技術分野】
【０００１】
本発明は、吊戸棚等の下方に取り付けられ、棚及びアームを折り畳んだ状態で水平方向に収納でき、棚を使用する際は、アームを下方向に回動させると、自動的にアームが係止されるとともに棚が水平方向に展開し、さらに、棚を収納する際は、水平方向の棚を上方向に折り畳むと、自動的にアームの係止が解除され、アームが水平方向に回動するように付勢する付勢力によって、棚及びアームを収納することの可能な折畳み式収納棚に関する。
【背景技術】
【０００２】
従来、洗浄した食器や料理器具等を水切りする水切棚は、壁へ取り付けるタイプのものが一般的であったが、システムキッチン等の進歩にともない、吊戸棚に取り付けるタイプのものも使用されるようになってきた。
また、対面型システムキッチン等に設けられた吊戸棚は、吊戸棚の下方のスペースを利用して、使用者の視界を確保しリビングルームと連続した空間を提供することを目的としてある。このため、吊戸棚に取り付けられる水切棚は、使用しないとき、使用者の目線の邪魔にならないように収容可能な構造であることが要求されてきた。
この要求を満足するために、様々な水切棚が開発されてきた。
【０００３】
たとえば、特許文献１には、吊戸棚に取り付けられたブラケットと、このブラケットに一端部が回動自在に連結された棚支持枠と、この棚支持枠のもう一端部に回動自在に連結された棚とを備え、棚を棚支持枠に重なる位置まで回動したのち、棚支持枠及び棚を略水平の状態となる位置まで回動してコンパクトな折畳み収納状態が得られる水切棚の技術が開示されている。
この技術によれば、コンパクトな折畳み収納状態を得ることができる水切り棚を提供することである。
【０００４】
【特許文献１】特開２００１−３８２号公報（請求項１，２、図１，２）
【発明の開示】
【発明が解決しようとする課題】
【０００５】
しかしながら、特許文献１に開示された水切棚は、収納する際、重い棚を持ち上げなければならず、使い勝手が悪いといった問題があった。
すなわち、水切棚は、洗浄後の食器や料理器具等の載置に耐え得る機械的強度を有する必要があるため、金属材料からなっており、棚支持枠や棚が重い構造となっていた。このため、使用後に棚支持枠や棚を折り畳み、重力に逆らって水平状態まで回動させる作業は、一定以上の体力を必要とし、老人や病弱な人にとっては無理な作業であり、棚の使用後も収納されない状態で放置され水切棚の機能が有効に発揮されないといった問題があった。
【０００６】
また、水切棚を収納状態から使用可能状態とするには、棚支持枠を水平状態にロックするロック機構を解除し、棚を棚支持枠に保持する保持機構を解除する必要があった。さらに、使用可能状態から収納状態とするには、棚を垂直方向に回動させて保持した後、棚支持枠を手前上方に持ち上げるように回動させる必要があり、複数の動作を行なう必要があり、この点からも使い勝手が悪いといった問題があった。
【０００７】
本発明は、上記諸問題を解決すべく、収納する際、棚を持ち上げる力を必要とせず、かつ、単純な動作で使用状態及び収納状態の切替えの可能な折畳み式収納棚の提供を目的とする。
【課題を解決するための手段】
【０００８】
この目的を達成するために、本発明の折畳み式収納棚は、被取付け体に、回動軸を中心として、一方の端部が水平方向から下方向の間で回動自在に連結されるアームと、このアームの他方の端部に回動自在に連結され、該アームに折り畳まれる棚とを有し、前記棚が折り畳まれかつ前記アームが水平方向の状態のときに、前記被取付け体に収納される折畳み式収納棚であって、前記アームが水平方向に回動するように付勢するアーム付勢手段と、下方向に回動された前記アームを係止する係止手段と、この係止手段を解除する係止解除手段とを具備した構成としてある。
【０００９】
また、本発明の折畳み式収納棚は、前記係止手段が、前記アームの回動軸方向に凸部を有し、さらに、ロックキー付勢手段により前記回動軸方向に付勢された状態で、該回動軸方向に移動自在に取り付けられたロックキーと、前記アームが下方向に回動されたとき、前記ロックキーの凸部が係止される係止部の形成されたロックカムとを備えた構成としてある。
【００１０】
また、本発明の折畳み式収納棚は、前記係止解除手段が、前記棚の側面に突設されたピンと、前記ロックキーに形成され、前記棚を前記アームに折り畳んだとき、前記ピンに押されて前記ロックキーを下方向に移動させる傾斜面とを備えた構成としてある。
【００１１】
また、本発明の折畳み式収納棚は、前記アームに形成され、前記棚を折り畳んだとき、前記ピンが装入されるピン溝と、前記ロックキーに形成され、前記傾斜面が押されて前記ロックキーが下方向に移動すると、装入された前記ピンが前記ピン溝から抜けないように、前記ピン溝の入口部を遮るストッパー部とからなる棚係止手段を備えた構成としてある。
【００１２】
また、本発明の折畳み式収納棚は、前記棚の側面に突設されたピンと、前記ロックキーに形成され、前記アームを下方向に回動させると、前記ピンを押して前記棚を背面側の方向に押し出す傾斜面とからなる棚押出し手段を備えた構成としてある。
【００１３】
また、本発明の折畳み式収納棚は、前記棚に、水平方向の状態にある前記アームを下方向に回動させるためのアーム用取っ手と、開かれた前記棚を折り畳むための棚用取っ手を設けた構成としてある。
【００１４】
また、本発明の折畳み式収納棚は、前記アーム付勢手段が、前記アームに一端が移動及び回動自在に連結され、他端が回動自在に支持された作動リンクと、この作動リンクの前記一端を前記アームの回動軸方向に付勢するアーム作動ばねとからなる構成としてある。
【００１５】
また、本発明の折畳み式収納棚は、前記棚を水切用棚とした構成としてある。
さらに、本発明の折畳み式収納棚は、前記被取付け体を吊戸棚とした構成としてある。
【発明の効果】
【００１６】
本発明における折畳み式収納棚によれば、アーム付勢手段が、折り畳まれた棚とアームを垂直状態から収納状態である水平方向まで自動的に回動させ、そのまま収納状態を保持してくれるので、特に力の弱い老人や病弱な人であっても容易に収納動作を行なうことができる。
また、アームを水平方向から下方向（垂直状態）に回動させると、係止手段が、アームを自動的に係止し下方向に保持する。
さらに、使用状態の棚を水平方向から上方向（折り畳まれた状態）に回動させると、係止解除手段が、アームの係止を解除する。そして、アーム付勢手段が自動的に棚及びアームを水平方向に回動させることができる。
【００１７】
また、棚係止手段を設けることにより、収納された棚を誤って上方に押し上げてしまい、上方に設けられた機器等を破損してしまうといった不具合や、アームが水平方向に回動している途中に、棚が開いてしまい収納できなくなるといった不具合を防止することができる。
さらに、棚押出し手段を設けることにより、アームを水平方向から下方向（垂直状態）に回動させると、棚に設けられたピンがピン溝から自動的に押し出され、棚を重力の作用により水平方向に回動させる。
【００１８】
また、アーム用取っ手と棚用取っ手を設けることにより、アーム用取っ手を手前下方に引っ張る一つの動作（アームを水平方向から下方向に回動させる動作）だけで、折畳み式収納棚を収納状態から使用状態とすることができ、また、棚用取っ手を手前上方に引っ張る一つの動作（棚を水平方向から上方向に回動させる動作）だけで、使用状態から収納状態とすることができ、極めて簡単かつ容易に使用することができる。
さらに、リンク機構を利用したアーム付勢手段を設けることにより、製造コストを低減でき、また、省スペース化を図ることができる。
【００１９】
また、棚を水切棚とすることにより、頻繁に使用状態と収納状態が繰り返される場合であっても、疲れることなく重い棚を収納することができる。
さらに、吊戸棚の下方に折畳み式収納棚を設けることにより、吊戸棚が対面型キッチンに設けられている場合、使用後の棚がそのまま放置されるといった不具合を回避でき、対面型キッチンの効果を発揮することができる。また、たとえば、吊戸棚の下方に照明器具を設けてある場合には、照明器具の設置スペースを利用して折畳み式収納棚を設置することができる。
【発明を実施するための最良の形態】
【００２０】
図１は、本発明にかかる収納式水切棚の取り付け状態を説明する概略斜視図を示している。
同図において、折畳み式収納棚である収納式水切棚１は、吊戸棚１１の下面に設けられた蛍光灯ボックス１２に取り付けられている。なお、吊戸棚１１は、対面型キッチン１３の上方に設けてある。
【００２１】
図２は、本発明にかかる収納式水切棚の構造を説明する概略斜視図を示している。
同図において、収納式水切棚１は、被取付け体（図示せず）に取り付けられるベース４と、このベース４に一方の端部が水平方向から下方向の間で回動自在に連結された一対のアーム２と、このアーム２のもう一方の端部に上方向から水平方向の間で回動自在に連結され、アーム２に折り畳まれた状態で水平方向に収納される水切用棚３とを備えている。
【００２２】
水切用棚３は、パイプ３１，枠板３２及び金網３４からなるほぼ長方形状の形状としてある。金網３４はパイプ３１および枠板３２の下部に溶接されており、パイプ３１および枠板３２が金網３４より上方に突出した構造となり、金網３４に載置された食器などが滑り落ちない構造としてある。
また、パイプ３１の中央部に、アーム用取っ手３５が設けてあり、パイプ３１を握れるように、金網３４を部分的に間引いた構造としてある。このアーム用取っ手３５は、アーム２をアームの開方向（下方向）に回動させるときに使用される。
さらに、金網３４上に、アーム用取っ手３５と対向するように棚用取っ手３６が設けられている。この棚用取っ手３６は、アーム用取っ手３５と連結されており、棚用取っ手３６の周囲は、握れるように金網３４を部分的に間引いてある。この棚用取っ手３６は、水切用棚３を棚の閉方向（上方向）に回動させるときに使用する。
【００２３】
水切用棚３は、支持ステー３７を介して、アーム２と連結されており、支持ステー３７の一端は、水切用棚３の両側面となる枠板３２に、回動自在に取り付けられ、かつ、もう一方の端は、アーム２の支持ステー用長穴２０４に、移動自在に取り付けられている。この支持ステー３７は、水切用棚３が開方向（水平方向）に回動されたとき、水切用棚３を水平状態に保持する。
【００２４】
また、水切用棚３の両側面となる枠板３２に、水平方向にピン３３が突設されている。
このピン３３は、後述するように、ロックキー５２のピン係止溝５２２の下面５２２ａと接触するカム機構を構成し、カム機構において、ロックキー５２がアーム連結リベット４２の方向（上方）に移動すると、ピン３３を背面側の方向に押し出す。また、水切用棚３が閉方向に回動されピン３３がピン溝２０３に装入すると、ロックキー５２を下方に移動させアーム２の係止を解除する。
【００２５】
図３は、本発明にかかる収納式水切棚の水切用棚とアームの連結構造を説明する概略分解斜視図を示している。なお、連結構造を理解しやすいように、正面側から見た斜視図としてある。
同図において、パイプ３１の両端には、先端部に対向する段付き部３１１ａを設けた棚連結ねじ３１１が突設してある。
この棚連結ねじ３１１には、平ワッシャー３１２，スプリングワッシャー３１３，平ワッシャー３１２，アーム２，及び，棚連結ねじ３１１の先端形状に対応する貫通孔３１４ａが形成された棚連結ねじ用ワッシャー３１４が挿入され、六角ナット３１５が締め付けられる。
【００２６】
ここで、段付き部３１１ａの端面から枠板３２までの距離Ｌは、二枚の平ワッシャー３１２の板厚，スプリングワッシャー３１３の板厚及びアーム２の幅寸法の合計より大きくしてあるので、アーム２は回動することができる。さらに、距離Ｌは、スプリングワッシャー３１３のばね力が作用可能な長さとしてあるので、スプリングワッシャー３１３は、重力により開方向に回動する水切用棚３をゆっくり開かせる摩擦抵抗発生手段として機能する。
【００２７】
ベース４は、“コ”字状に折り曲げられた金属板からなり、さらに、正面側端部に、上部固定板４０１および側部固定板４０２が折り曲げられている。
上部固定板４０１には、ねじ固定する貫通孔４０３が穿設されている。また、側部固定板４０２には、ねじの頭部が貫通可能な丸孔とねじ部が装入可能な長穴からなる係止孔４０４が穿設され、さらに、ねじ固定する長穴４０５が形成されている。
なお、本実施形態では、垂直な正面板１２２にベース４を取り付ける構造としてあるが、この構造に限定されるものではなく、たとえば、水平な取付け面にベース４を固定する構造としてもよい。
【００２８】
図４は、本発明にかかる収納式水切棚のベースとアームの連結構造を説明する概略分解斜視図を示している。
同図において、ベース４には、側面にアーム２の閉方向（水平方向）への回動がゆっくり行なわれるように、ロータリーダンパー４４が十字穴付トラス小ねじ４５によって螺着される。このロータリーダンパー４４には、アーム連結リベット４２が装入される。
【００２９】
アーム連結リベット４２は、先端がロータリーダンパー４４に装入可能な矩形状の形状としてあり、また、頭部及び頭部の周辺の摺動面を除いて、アーム２が回転しないように、対向する切欠面４２１を形成した形状としてある。このアーム連結リベット４２は、ロックカム５１，キー作動ばね５３上端部が連結されたケーシング５４，及びロータリーダンパー４４を貫通した状態で、Ｅリング４３によってベース４に固定される。
また、ベース４の正面側の側面には、作動リンク２１が、作動リンク固定リベット４１によって、回動自在に支持される。
【００３０】
アーム２は、“コ”字状に折り曲げられた金属板からなり、上端部にアーム連結リベット４２が貫通される、上記切欠面４２１に対応した形状の貫通孔２０１が成形されている。また、その下方には、ロックキー５２を移動可能に収納するように、押え板２０２が折り曲げられており、ロックキー５２が長手方向に移動することができる。
さらに、押え板２０２の下方には、背面側から水平方向に水切用棚３のピン３３が装入されるピン溝２０３が形成してある。
また、ピン溝２０３の正面側下方に、アームばね連結リベット２４が貫通しており、貫通したアームばね連結リベット２４の中央部には、キー作動ばね５３の下端部が連結される。
【００３１】
アーム２の下部には、支持ステー３７が回動及び移動自在に連結される支持ステー用長穴２０４と、作動リンク２１が回動及び移動自在に連結される作動リンク用長穴２０５が形成されている。また、最下部には、上記棚連結ねじ３１１が挿入される貫通孔２０６が形成されている。
【００３２】
作動リンク２１は、一対の細長い金属板からなり、一端が作動リンク固定リベット４１を介してベース４に回動自在に連結され、もう一方の端がリンク連結リベット２２を介して、アーム２の作動リンク用長穴２０５に回動及び移動自在に連結される。リンク連結リベット２２は、アーム作動ばね２３によって、アームばね連結リベット２４の方向に付勢されている。
上記構成の作動リンク２１及びアーム作動ばね２３によって、アーム２が水平方向に回動するように付勢される。
なお、本実施形態では、作動リンク２１を用いたアーム付勢手段としてあるが、この構成に限定されるものではない。
【００３３】
アーム２の係止手段５は、ロックカム５１，ロックキー５２，キー作動ばね５３，ケーシング５４，キー作動ばね連結リベット５５とからなっている。
ロックカム５１は、背面側および下方側に、ロックキー５２が摺動しながら回動する円弧状の摺動面５１１と、正面側に、ロックキー５２の凸部５２１が係止される切欠状の係止部５１２が形成された構造としてある。
なお、係止部５１２の形状は、上記形状に限定されるものではなく、たとえば、凸部５２１が装入される穴状の形状としてもよい。
【００３４】
ロックキー５２は、正面側の上部に凸部５２１を有しており、この凸部５２１は、ロックカム５１の係止部５１２に係止されると、アーム２に作用する付勢力に抗して、アーム２を下方向（垂直状態）に保持する。
また、背面側に、正面側斜め上方に向かってピン係止溝５２２が形成してあり、このピン係止溝５２２には、水切用棚３のピン３３が装入され、ピン係止溝５２２の下面５２２ａとカム機構を構成する。さらに、ピン係止溝５２２の背面側上面端部には、ストッパー部５２２ｂが形成されており、このストッパー部５２２ｂは、装入されたピン３３がピン溝２０３から抜けないように、ピン溝２０３の入口部を遮ることができる。
また、下部に、アームばね連結リベット２４に装入されるガイド溝５２３が形成してある。
このロックキー５２は、キー作動ばね連結リベット５５を介してキー作動ばね５３と連結されており、アーム連結リベット４２の方向に付勢されている。
【００３５】
次に、上記構成の収納式水切棚１の取扱い方法及び各部の動作について、図面を参照して説明する。
図５は、本発明にかかる収納式水切棚の収納状態を説明するための下方より見た概略斜視図を示している。
同図において、収納式水切棚１は、水切用棚３がアーム２に折り畳まれた状態で、水平方向に収納されている。
【００３６】
また、図６は、本発明にかかる収納式水切棚の収納状態を説明するための側方から見た概略断面図を示している。
同図において、収納式水切棚１は、蛍光灯１２１が取り付けられた蛍光灯ボックス１２の正面板１２２に、ベース４が木ねじ１２３によって固定されている。
アーム２は、作動リンク２１及びアーム作動ばね２３による付勢力を受け、閉方向に回動するとともに水平方向に回動した収納状態を維持する。
このとき、アーム連結リベット４２の方向に付勢されているロックキー５２は、凸部５２１がロックカム５１の摺動面５１１と当接している。
【００３７】
水切用棚３のピン３３は、アーム２のピン溝２０３及びロックキー５２のピン係止溝５２１の両方に装入されている。
ここで、ピン溝２０３及びピン係止溝５２１のストッパー部５２２ｂは、棚係止手段６を構成している。すなわち、アーム２が下方向に回動し係止手段５により係止されていない状態では、ロックキー５２の凸部５２１がロックカム５１の摺動面５１１と当接し、この当接によってロックキー５２が付勢方向とは反対の方向（図中の左側方向）に移動している。このため、ピン係止溝５２１のストッパー部５２２ｂがピン溝２０３の入口の一部を塞ぐこととなり、ピン溝２０３の左側端面とピン係止溝５２１の隙間“Ｗ”がピン３３の直径Ｄより小さくなり（Ｄ＞Ｗ）、ピン３３はピン溝２０３内に係止され抜け出ることはできない。
これにより、アーム２が収納されているとき及びアーム２が回動している途中では、水切用棚３がアーム２に折り重ねられた状態を確実に維持するので、たとえば、収納された水切用棚３を誤って上方に押し上げてしまい蛍光灯１２１を破損してしまうといった不具合を防止することができる。
なお、図示してないが、アーム２が回動しすぎて蛍光灯１２１と接触しないように、ストッバーが設けられている。
【００３８】
図７は、本発明にかかる下方向に回動された収納式水切棚を説明するための、手前側より見た概略斜視図を示している。
同図において、収納式水切棚１は、アーム用取っ手３５が正面側斜め下方に引っ張られることにより、アーム２及び水切用棚３が下方向（垂直状態）に回動してある。
なお、アーム２及び水切用棚３を下方向に回動させるには、作動リンク２１及びアーム作動ばね２３により発生する付勢力に逆らって回動させる必要があるが、この付勢力を適度に調節することにより小さな力で回動させることができる。
【００３９】
また、図８は、本発明にかかる収納式水切棚の水切用棚の回動状態を説明するための、側方から見た概略断面図を示している。
同図において、収納式水切棚１は、アーム２が垂直状態に保持され、水切用棚３が水平方向に回動している。
収納式水切棚１は、アーム２及び水切用棚３が下方向（垂直状態）まで回動され、ロックキー５２の凸部５２１が摺動面５１１から外れると、ロックキー５２がキー作動ばね５３の付勢力により上方に移動し、凸部５２１がロックカム５１の係止部５１２に係止される。これにより、アーム２は、アーム用取っ手３５が離されても、アーム２に作用する付勢力に抗して垂直状態に維持される。
【００４０】
また、ロックキー５２が上方に移動すると、ピン係止溝５２２のストッパー部５２２ｂが上方に移動し、ピン３３のピン溝２０３への係止が解除されるとともに、カム機構を構成するピン係止溝５２２の下面５２２ｂによってピン３３が背面側方向に押し出される。そして、ピン３３がピン溝２０３から抜け出ると、水切用棚３は、重力を受けて開方向に回動し、支持ステー３７により水平状態に保持される。ここで、水切用棚３は、スプリングワッシャー３１３による摩擦抵抗によって、ゆっくり開くことができる。
なお、アーム２が垂直状態まで回動されると、リンク連結リベット２２が作動リンク用長穴２０５の下方端面と当接し、アーム２がさらに正面側に回動するといった不具合を防止する
【００４１】
図９は、本発明にかかる水切用棚の使用状態を説明するための正面側から見た概略斜視図を示している。
同図において、収納式水切棚１は、収納状態のアーム用取っ手３５をアーム２の開方向（正面側斜め下方）に引っ張る一つの動作を行なうだけで、アーム２が垂直状態に係止されるとともに、水切用棚３が背面側に押し出され棚の開方向に回動し水平状態となり、使用状態にセットすることができる。
【００４２】
図１０は、本発明にかかる水切用棚の収納動作を説明するための、側方から見た概略断面図を示している。
同図において、収納式水切棚１は、使用者が使用状態の棚用取っ手３６を持って、棚の閉方向（正面側上方）に水切用棚３を回動させることによって、ピン３３がピン溝２０３に装入されている。このとき、ロックキー５２のピン係止溝５２２の下面５２２ａはピン３３に押されるので、ロックキー５２が下方に移動する。そして、ロックキー５２がキー作動ばね５３の付勢力に抗して下方に移動すると、ロックキー５２の凸部５２１が、ロックカム５１の係止部４１２から外れるとともに、ストッパー部５２２ｂがピン溝２０３の入口部を部分的に塞いで、ピン３３をピン溝２０３の内部に係止する。
【００４３】
また、収納式水切棚１は、凸部５２１が係止部４１２から外れると、アーム２が、作動リンク２１及びアーム作動ばね２３による付勢力の作用を受けて、自動的に開方向に回動しようとする。このとき、使用者は、瞬間的に付勢力の作用を受けて、通常、棚用取っ手３６を握った手を背面側上方に微小距離だけ引っ張られるので、収納式水切棚１は、ロックキー５２の凸部５２１がロックカム５１の係止部４１２から外れた状態で、閉方向に微小角度だけ回動することができる。  そして、収納式水切棚１は、この微小角度の回動によって、ロックキー５２の凸部５２１がロックカム５１の摺動面５１１と当接した状態となり、作動リンク２１及びアーム作動ばね２３による付勢力の作用を受けて、自動的に閉方向に回動し収納状態を維持する。このとき、アーム２は、ロータリーダンパー４４によって、適度の回動速度で回動する。
【００４４】
なお、使用者は、凸部５２１がロックカム５１の摺動面５１１と当接した段階、すなわち、付勢力により僅かに引っ張られたと感じたところで、棚用取っ手３６を離すことができる。そして、収納式水切棚１は、棚用取っ手３６を離されても、ピン３３がストッパー部５２２ｂによって係止され、水切用棚３が開くといった不具合を防止した状態で、アーム２及び水切用棚３を付勢力によって自動的に収納することができる。
【００４５】
このように、本実施形態の収納式水切棚１は、使用者が使用状態の棚用取っ手３６を棚の閉方向に回動し、さらに、付勢力を受けたアーム２に微小距離だけ引っ張られることにより、アーム２及び水切用棚３を水平方向に収納することができる。
また、付勢力を受けたアーム２に微小距離だけ引っ張られる動作は、通常、無意識のうちに行なわれるので、棚用取っ手３６を棚の閉方向に回動させる一つの動作で、使用状態の水切用棚３を収納することができる。
【産業上の利用可能性】
【００４６】
本発明の折畳み式収納棚について、好ましい実施形態を示して説明したが、本発明は、上述した実施形態にのみ限定されるものではなく、本発明の範囲で種々の変更実施が可能であることは言うまでもない。
たとえば、収納式水切棚に限定されるものではなく、使用状態及び収納状態を頻繁に繰り返えしながら使用される収納棚や、棚が重く収納するのに大きな力を必要とする収納棚にも適用することができる。
【図面の簡単な説明】
【００４７】
【図１】本発明にかかる収納式水切棚の取り付け状態を説明する概略斜視図を示している。
【図２】本発明にかかる収納式水切棚の構造を説明する概略斜視図を示している。
【図３】本発明にかかる収納式水切棚の水切用棚とアームの連結構造を説明する概略分解斜視図を示している。
【図４】本発明にかかる収納式水切棚のベースとアームの連結構造を説明する概略分解斜視図を示している。
【図５】本発明にかかる収納式水切棚の収納状態を説明するための下方より見た概略斜視図を示している。
【図６】本発明にかかる収納式水切棚の収納状態を説明するための側方から見た概略断面図を示している。
【図７】本発明にかかる下方向に回動された収納式水切棚を説明するための、手前側より見た概略斜視図を示している。
【図８】本発明にかかる収納式水切棚の水切用棚の回動状態を説明するための、側方から見た概略断面図を示している。
【図９】本発明にかかる水切用棚の使用状態を説明するための正面側から見た概略斜視図を示している。
【図１０】本発明にかかる水切用棚の収納動作を説明するための、側方から見た概略断面図を示している。
【符号の説明】
【００４８】
１  収納式水切棚  
２  アーム
３  水切用棚
４  ベース
５  係止手段
６  棚係止手段
１１  吊戸棚
１２  蛍光灯ボックス
１３  対面型キッチン
２１  作動リンク
２２  リンク連結リベット
２３  アーム作動ばね
２４  アームばね連結リベット
２２  リンク連結リベット
３１  パイプ
３２  枠板
３３  ピン
３４  金網
３５  アーム用取っ手
３６  棚用取っ手
３７  支持ステー
４１  作動リンク固定リベット
４２  アーム連結リベット
４３  Ｅリング
４４  ロータリーダンパー
４５  十字穴付トラス小ねじ
５１  ロックカム
５２  ロックキー
５３  キー作動ばね
５４  ケーシング
５５  キー作動ばね連結リベット
１２１  蛍光灯
１２２  正面板
１２３  木ねじ
２０１  貫通孔
２０２  押え板
２０３  ピン溝
２０４  支持ステー用長穴
２０５  作動リンク用長穴
２０６  貫通孔
３１１  棚連結ねじ
３１１ａ  段付き部
３１２  平ワッシャー
３１３  スプリングワッシャー
３１４  棚連結ねじ用ワッシャー
３１４ａ  貫通孔
３１５  六角ナット
４０１  上部固定板
４０２  側部固定板
４０３  貫通孔
４０４  係止孔
４０５  長穴
４２１  切欠面
５１１  摺動面
５１２  係止部
５２１  凸部
５２２  ピン係止溝
５２２ａ  下面
５２２ｂ  ストッパー部
５２３  ガイド溝
【図１】
2005058471.tif 000003
【図２】
2005058471.tif 000004
【図３】
2005058471.tif 000005
【図４】
2005058471.tif 000006
【図５】
2005058471.tif 000007
【図６】
2005058471.tif 000008
【図７】
2005058471.tif 000009
【図８】
2005058471.tif 000010
【図９】
2005058471.tif 000011
【図１０】
2005058471.tif 000012